(57)【特許請求の範囲】
【請求項１】
車両の内装材に形成された開口を覆うように前記内装材に対して機能装置を取り付けるためのブラケットであって、
前記機能装置を支持可能なように一方向に間合を空けて並設される第１支持体及び第２支持体と、
前記第１支持体と前記第２支持体とを連結する可撓部と、を備え、
前記第１支持体及び前記第２支持体は、前記可撓部を撓ませることで前記一方向に互いに近接されて前記開口に挿入可能とされているとともに、前記開口に挿入された状態で前記可撓部の撓みを解除することで前記一方向に互いに離間されて前記内装材の前記開口の外周縁を厚さ方向に挟持するように構成されており、
前記第１支持体及び前記第２支持体のそれぞれは、前記内装材の前記開口の外周縁の表面に当接されて前記機能装置を支持可能な支持板と、前記支持板の前記一方向の一端側に連結されて前記内装材の前記開口に挿入される挿入部と、前記支持板と対向するように前記挿入部に設けられて前記支持板との間で前記内装材の前記開口の外周縁を厚さ方向に挟持する挟持片と、を備え、
前記支持板及び前記挟持片のうちの少なくとも一方には、前記支持板と前記挟持片との対向間隔が前記一方向で前記挿入部側に向かうにつれて狭くなるようにテーパ状部が設けられており、
前記テーパ状部は、前記支持板と前記挟持片との間で挟持される前記内装材の前記開口の外周縁を厚さ方向に圧縮することを特徴とするブラケット。
【請求項２】
前記第１支持体及び前記第２支持体のそれぞれは、長尺形状に形成されており、
前記可撓部は、前記第１支持体及び前記第２支持体の長尺方向の各一端側を連結する第１可撓部と、前記第１支持体及び前記第２支持体の長尺方向の各他端側を連結する第２可撓部と、を備える請求項１に記載のブラケット。
【請求項３】
前記第１支持体、前記第２支持体及び前記可撓部は、樹脂製であるとともに一体に形成されている請求項１又は２に記載のブラケット。
【請求項４】
前記内装材は、天井材であり、
前記機能装置は、前記第１支持体及び前記第２支持体に支持されるアクチュエータ部を備えるスピーカ装置であり、
前記第１支持体及び前記第２支持体のそれぞれは、前記天井材の前記開口の外周縁を厚さ方向に挟持することで前記アクチュエータ部の振動を前記天井材に伝達する伝達機能を備える請求項１乃至３のいずれか一項に記載のブラケット。
【請求項５】
車両の内装材に形成された開口を覆うように前記内装材に対して取り付けられる機能装置の取付構造であって、
請求項１乃至４のいずれか一項に記載のブラケットを備え、
前記ブラケットは、前記第１支持体及び前記第２支持体が前記内装材の前記開口の外周縁を厚さ方向に挟持することで前記内装材に取り付けられており、
前記機能装置は、前記開口を覆うように前記第１支持体及び前記第２支持体に支持されていることを特徴とする機能装置の取付構造。
【発明の詳細な説明】
【技術分野】
【０００１】
本発明は、ブラケット及びこれを備える機能装置の取付構造に関し、更に詳しくは、車両の内装材に形成された開口を覆うように内装材に対して機能装置を取り付けるためのブラケット及びこれを備える機能装置の取付構造に関する。
【背景技術】
【０００２】
従来のブラケットとして、車両の天井材に形成された開口を覆うように天井材に対してスピーカ装置を取り付けるためのものが知られている（例えば、特許文献１参照）。この従来のブラケット１０１は、例えば、図１１に示されるように、天井材１０２の裏面（即ち、天井材１０２の車両室外側Ｒ２の表面）に接着剤で固定されて、スピーカ装置１０３のヨーク１２４の振動をアクチュエータ部１２３を介して天井材１０２に伝える役目を持っている。このブラケット１０１の天井材１０２への取付作業では、通常、天井材１０２の裏面に接着剤１０４を塗布し（図１２（ａ）参照）、その天井材１０２の裏面にブラケット１０１を載置し、そのブラケット１０１の上に約５ｋｇのおもし１０５を約３０秒乗せて両者１０１、１０２を圧着させている（図１２（ｂ）参照）。なお、上記ブラケット１０１は、天井材１０２の裏面での接着作業のため、スピーカ装置１０３のアクチュエータ部１２３と略同じ平面サイズとされている。
【先行技術文献】
【特許文献】
【０００３】
【特許文献１】特開２０１２−１１４６６４号公報
【発明の概要】
【発明が解決しようとする課題】
【０００４】
しかし、上記従来のブラケット１０１では、天井材１０２の裏面での接着剤１０４及びおもし１０５による圧着工程を経て天井材１０２に取り付けられるため、既に車体に組み付けられた天井材１０２に対してブラケット１０１を取り付けることが困難となる。そのため、スピーカ取付仕様でない天井材１０２を備える車両をスピーカ取付仕様に変更する場合には、天井材１０２を車体から取り外してブラケット１０１及びスピーカ装置１０３を取り付ける必要があり、極めて煩雑な取付作業となってしまう。なお、上述の問題は、ダッシュボード、ドアトリム、ピラーガーニッシュ、シート等の内装材に対して、スピーカ装置、照明装置、電飾装置、収容装置等の機能装置を取り付ける場合であっても、同様に生じる。
【０００５】
本発明は、上記現状に鑑みてなされたものであり、既に車体に組み付けられた内装材に対して機能装置を容易に取り付けることができるブラケット及びこれを備える機能装置の取付構造を提供することを目的とする。
【課題を解決するための手段】
【０００６】
上記問題を解決するために、請求項１に記載の発明は、車両の内装材に形成された開口を覆うように前記内装材に対して機能装置を取り付けるためのブラケットであって、前記機能装置を支持可能なように一方向に間合を空けて並設される第１支持体及び第２支持体と、前記第１支持体と前記第２支持体とを連結する可撓部と、を備え、前記第１支持体及び前記第２支持体は、前記可撓部を撓ませることで前記一方向に互いに近接されて前記開口に挿入可能とされているとともに、前記開口に挿入された状態で前記可撓部の撓みを解除することで前記一方向に互いに離間されて前記内装材の前記開口の外周縁を厚さ方向に挟持するように構成されており、前記第１支持体及び前記第２支持体のそれぞれは、前記内装材の前記開口の外周縁の表面に当接されて前記機能装置を支持可能な支持板と、前記支持板の前記一方向の一端側に連結されて前記内装材の前記開口に挿入される挿入部と、前記支持板と対向するように前記挿入部に設けられて前記支持板との間で前記内装材の前記開口の外周縁を厚さ方向に挟持する挟持片と、を備え、前記支持板及び前記挟持片のうちの少なくとも一方には、前記支持板と前記挟持片との対向間隔が前記一方向で前記挿入部側に向かうにつれて狭くなるようにテーパ状部が設けられており、前記テーパ状部は、前記支持板と前記挟持片との間で挟持される前記内装材の前記開口の外周縁を厚さ方向に圧縮することを要旨とする。
請求項２に記載の発明は、請求項１に記載の発明において、前記第１支持体及び前記第２支持体のそれぞれは、長尺形状に形成されており、前記可撓部は、前記第１支持体及び前記第２支持体の長尺方向の各一端側を連結する第１可撓部と、前記第１支持体及び前記第２支持体の長尺方向の各他端側を連結する第２可撓部と、を備えることを要旨とする。
請求項３に記載の発明は、請求項１又は２に記載の発明において、前記第１支持体、前記第２支持体及び前記可撓部は、樹脂製であるとともに一体に形成されていることを要旨とする。
請求項４に記載の発明は、請求項１乃至３のいずれか一項に記載の発明において、前記内装材は、天井材であり、前記機能装置は、前記第１支持体及び前記第２支持体に支持されるアクチュエータ部を備えるスピーカ装置であり、前記第１支持体及び前記第２支持体のそれぞれは、前記天井材の前記開口の外周縁を厚さ方向に挟持することで前記アクチュエータ部の振動を前記天井材に伝達する伝達機能を備えることを要旨とする。
上記問題を解決するために、請求項５に記載の発明は、車両の内装材に形成された開口を覆うように前記内装材に対して取り付けられる機能装置の取付構造であって、請求項１乃至４のいずれか一項に記載のブラケットを備え、前記ブラケットは、前記第１支持体及び前記第２支持体が前記内装材の前記開口の外周縁を厚さ方向に挟持することで前記内装材に取り付けられており、前記機能装置は、前記開口を覆うように前記第１支持体及び前記第２支持体に支持されていることを要旨とする。
【発明の効果】
【０００７】
本発明のブラケットによると、機能装置を支持可能なように一方向に間合を空けて並設される第１支持体及び第２支持体と、第１支持体と第２支持体とを連結する可撓部と、を備える。そして、第１支持体及び第２支持体は、可撓部を撓ませることで一方向に互いに近接されて開口に挿入可能とされているとともに、開口に挿入された状態で可撓部の撓みを解除することで一方向に互いに離間されて内装材の開口の外周縁を厚さ方向に挟持するように構成されている。これにより、ブラケットは、第１及び第２支持体が内装材の開口の外周縁を厚さ方向に挟持することで内装材に取り付けられるとともに、機能装置は、開口を覆うように第１及び第２支持体に支持される。よって、内装材に対してブラケットを接着剤での接着を必須とせずに取り付けることができ、接着剤で接着する場合であっても従来のようなおもしによる圧着工程を必要としない。その結果、既に車体に組み付けられた内装材に対して機能装置を容易に取り付けることができる。
また、前記第１支持体及び前記第２支持体のそれぞれが、支持板と、挿入部と、前記支持板と対向するように前記挿入部に設けられて前記支持板との間で前記内装材の前記開口の外周縁を厚さ方向に挟持する挟持片と、を備えるので、支持板と挟持片との間で内装材の開口の外周縁を強固に挟持できる。
また、前記支持板及び前記挟持片のうちの少なくとも一方に、前記支持板と前記挟持片との対向間隔が前記一方向で前記挿入部側に向かうにつれて狭くなるようにテーパ状部が設けられているので、支持板と挟持片との間で内装材の開口の外周縁を更に強固に挟持できる。
また、前記第１支持体及び前記第２支持体のそれぞれが、長尺形状に形成されており、前記可撓部が、前記第１支持体及び前記第２支持体の長尺方向の各一端側を連結する第１可撓部と、前記第１支持体及び前記第２支持体の長尺方向の各他端側を連結する第２可撓部と、を備える場合は、枠状のブラケットとして剛性を高めることができる。さらに、第１及び第２可撓部の撓みを解除したときの弾性復元力により、第１及び第２支持体で内装材の開口の外周縁を更に強固に挟持できる。
また、前記第１支持体、前記第２支持体及び前記可撓部が、樹脂製であるとともに一体に形成されている場合は、可撓部を効果的に撓ませることができるとともに、ブラケットを簡易且つ安価に構成できる。
さらに、前記内装材が、天井材であり、前記機能装置が、前記第１支持体及び前記第２支持体に支持されるアクチュエータ部を備えるスピーカ装置であり、前記第１支持体及び前記第２支持体のそれぞれが、前記アクチュエータ部の振動を前記天井材に伝達する伝達機能を備える場合は、既に車体に組み付けられた天井材に対してスピーカ装置を容易に取り付けることができる。また、第１及び第２支持体が内装材の開口の外周縁を挟持することで、ブラケットによりスピーカ装置のアクチュエータ部の振動が天井材に効果的に伝わり、天井材から良質な音が出力される。
本発明の機能装置の取付構造によると、上述のブラケットを備え、前記ブラケットは、前記第１支持体及び前記第２支持体が前記内装材の前記開口の外周縁を厚さ方向に挟持することで前記内装材に取り付けられており、前記機能装置は、前記開口を覆うように前記第１支持体及び前記第２支持体に支持されている。これにより、内装材に対してブラケットを接着剤での接着を必須とせずに取り付けることができ、接着剤で接着する場合であっても従来のようなおもしによる圧着工程を必要としない。その結果、既に車体に組み付けられた内装材に対して機能装置を容易に取り付けることができる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るスピーカ装置の取付構造を車両室内側から見上げた状態を示す模式図である。
【図２】図１のＩＩ−ＩＩ線断面拡大図である。
【図３】上記スピーカ装置の取付構造の分解模式図である。
【図４】実施例に係るブラケットの斜視図であり、（ａ）は可撓部の無負荷状態を示し、（ｂ）は可撓部を撓ませた状態を示す。
【図５】上記ブラケットの縦断面図であり、（ａ）は図４のａ−ａ線断面図を示し、（ｂ）は図４のｂ−ｂ線断面図を示す。
【図６】実施例に係るスピーカ装置の取付方法の説明図であり、天井材に開口が形成された状態を示す。
【図７】上記スピーカ装置の取付方法の説明図であり、（ａ）は可撓部を撓ませた状態を示し、（ｂ）は開口にブラケットが挿入された状態を示し、（ｂ）は天井材にブラケットが取り付けられた状態を示す。
【図８】他の形態のブラケットの縦断面図であり、（ａ）は支持板がテーパ状部を備える形態を示し、（ｂ）は支持板及び挟持片がテーパ状部を備える形態を示す。
【図９】更に他の形態のブラケットの要部斜視図である。
【図１０】更に他の形態のブラケットの説明図であり、（ａ）はスピーカ装置の一部が開口内に配置されるように支持するブラケットを示し、（ｂ）は天井材の車両室外側から取り付けられるブラケットを示す。
【図１１】従来のスピーカ装置の取付構造の縦断面図である。
【図１２】従来のブラケットの取付方法の説明図であり、（ａ）は天井材の裏面に接着剤が塗布された状態を示し、（ｂ）はおもしによる圧着工程を示す。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
＜ブラケット＞
本実施形態に係るブラケットは、車両の内装材（２）に形成された開口（２ａ）を覆うように内装材に対して機能装置（３）を取り付けるためのブラケット（１、１’、１"）であって、機能装置を支持可能なように一方向（Ｐ）に間合を空けて並設される第１支持体（５）及び第２支持体（６）と、第１支持体と第２支持体とを連結する可撓部（７、８）と、を備える（例えば、図２〜図５等参照）。そして、上記第１支持体（５）及び第２支持体（６）は、可撓部（７、８）を撓ませることで一方向（Ｐ）に互いに近接されて開口（２ａ）に挿入可能とされているとともに、開口（２ａ）に挿入された状態で可撓部（７、８）の撓みを解除することで一方向（Ｐ）に互いに離間されて内装材（２）の開口（２ａ）の外周縁を厚さ方向に挟持するように構成されている（例えば、図７等参照）。
【００１１】
本実施形態に係るブラケットとしては、例えば、上記第１支持体（５）及び第２支持体（６）のそれぞれは、内装材（２）の開口（２ａ）の外周縁の表面に当接されて機能装置（３）を支持可能な支持板（１１）と、支持板の一方向（Ｐ）の一端側に連結されて内装材の開口に挿入される挿入部（１２）と、支持板（１１）と対向するように挿入部（１２）に設けられて支持板（１１）との間で内装材（２）の開口（２ａ）の外周縁を厚さ方向に挟持する挟持片（１３）と、を備える形態（例えば、図４及び図５等参照）を挙げることができる。
【００１２】
上述の形態の場合、例えば、上記支持板（１１）及び挟持片（１３）のうちの少なくとも一方には、支持板と挟持片との対向間隔が一方向（Ｐ）で挿入部（１２）側に向かうにつれて狭くなるようにテーパ状部（１８、１８’）が設けられていることができる（例えば、図５、図８及び図９等参照）。
【００１３】
上述の形態の場合、例えば、上記可撓部（７、８）の撓み時に第１支持体（５）及び第２支持体（６）の各挟持片（１３）が開口（２ａ）に挿入可能で且つ各支持板（１１）が開口（２ａ）に挿入不能とされていることができる（例えば、図７等参照）。これにより、各挟持片が開口に挿入されて内装材の一方の表面側に突出したときに各支持板が内装材の他方の表面に当接する。この状態より、可撓部の撓みを解除することで、支持板と挟持片との間で内装材の開口の外周縁を確実に挟持できる。
【００１４】
本実施形態に係るブラケットとしては、例えば、上記第１支持体（５）及び第２支持体（６）のそれぞれは、長尺形状に形成されており、可撓部は、第１支持体（５）及び第２支持体（６）の長尺方向の各一端側を連結する第１可撓部（７）と、第１支持体（５）及び第２支持体（６）の長尺方向の各他端側を連結する第２可撓部（８）と、を備える形態（例えば、図４等参照）を挙げることができる。
【００１５】
本実施形態に係るブラケットとしては、例えば、上記第１支持体（５）、第２支持体（６）及び可撓部（７、８）は、樹脂製であるとともに一体に形成されている形態（例えば、図４等参照）を挙げることができる。
【００１６】
本実施形態に係るブラケットとしては、例えば、上記内装材は、天井材（２）であり、機能装置は、第１支持体（５）及び第２支持体（６）に支持される振動板（３ａ）及びアクチュエータ部（２３）を備えるスピーカ装置（３）であり、第１支持体（５）及び第２支持体（６）のそれぞれは、アクチュエータ部（２３）の振動を天井材（２）に伝達する伝達機能を備える形態（例えば、図２等参照）を挙げることができる。
【００１７】
＜機能装置の取付構造＞
本実施形態に係る機能装置の取付構造は、車両の内装材（２）に形成された開口（２ａ）を覆うように内装材に対して取り付けられる機能装置（３）の取付構造（３１）であって、上記実施形態のブラケット（１、１’、１"）を備え、ブラケットは、第１支持体（５）及び第２支持体（６）が内装材（２）の開口（２ａ）の外周縁を厚さ方向に挟持することで内装材（２）に取り付けられており、機能装置（３）は、開口（２ａ）を覆うように第１支持体（５）及び第２支持体（６）に支持されている（例えば、図２等参照）。
【００１８】
＜機能装置の取付方法＞
本実施形態に係る機能装置の取付方法は、上記実施形態のブラケット（１、１’、１"）を用いる機能装置の取付方法であって、内装材（２）に車両室内側（Ｒ１）から開口（２ａ）を形成する開口工程と、第１支持体（５）及び第２支持体（６）を開口（２ａ）に挿入して内装材（２）の開口（２ａ）の外周縁を厚さ方向に挟持させて内装材（２）にブラケット（１、１’、１"）を取り付けるブラケット取付工程と、内装材（２）に取り付けられたブラケット（１、１’、１"）の第１支持体（５）及び第２支持体（６）に機能装置（３）を支持する機能装置支持工程と、を備える（例えば、図６及び図７等参照）。これにより、内装材に対してブラケットを接着剤での接着を必須とせずに取り付けることができ、接着剤で接着する場合であっても従来のようなおもしによる圧着工程を必要としない。その結果、既に車体に組み付けられた内装材に対して機能装置を容易に取り付けることができる。なお、上記各工程は、通常、車両に対して内装材が組み付けられた状態（仮組付状態も含む。）で行われる。
【００１９】
なお、上記実施形態で記載した各構成の括弧内の符号は、後述する実施例に記載の具体的構成との対応関係を示すものである。
【実施例】
【００２０】
以下、図面を用いて実施例により本発明を具体的に説明する。なお、本実施例では、本発明に係る「車両の内装材」として車両の天井材を例示するとともに、本発明に係る「機能装置」としてスピーカ装置を例示する。
【００２１】
（１）ブラケットの構成
本実施例に係るブラケット１は、図１〜図３に示すように、車両の天井材２に形成された開口２ａを覆うように天井材２に対してスピーカ装置３を取り付けるためのものである。この開口２ａは、天井材２の車両後方側で左右に一対設けられるとともに、車両幅方向Ｑに長尺となる矩形状に形成されている。さらに、天井材２としては、例えば、樹脂シート、樹脂発泡体、又は繊維材（例えば、植物繊維、ガラス繊維、カーボン繊維等）、及びそれらの複合体を用いてなり、その車両室内側Ｒ１の表面に表皮を積層してなるものを採用できる。
【００２２】
上記ブラケット１は、図４及び図５に示すように、スピーカ装置３を支持可能なように一方向Ｐ（即ち、天井材２へのブラケット１の取付状態で車両前後方向Ｐ）に間合を空けて並設される第１支持体５及び第２支持体６と、第１支持体５と第２支持体６とを連結する第１可撓部７及び第２可撓部８と、を備えている。これら各支持体５、６及び各可撓部７、８は、樹脂製（例えば、植物繊維、ガラス繊維、カーボン繊維等の繊維材を含む樹脂製等）であるとともに一体に形成されている。また、各支持体５、６は、一方向Ｐと直交する方向に長尺形状に形成されている。また、各可撓部７、８は、略Ｖ字板状に形成されている。この第１可撓部７は、各支持体５、６の長尺方向の各一端側を連結しており、第２可撓部８は、各支持体５、６の長尺方向の各他端側を連結している。よって、ブラケット１は、全体として枠状に形成されており、各支持体５、６及び各可撓部７、８で囲まれる中央部分が開口９とされている。
【００２３】
上記第１及び第２支持体５、６のそれぞれは、天井材２の開口２ａの外周縁の表面に当接されてスピーカ装置３を支持可能な支持板１１と、支持板１１の一方向Ｐの一端側に連結されて天井材２の開口２ａに挿入される挿入部１２と、支持片１１と対向するように挿入部１２に設けられて支持板１１との間で天井材２の開口２ａの外周縁を厚さ方向に挟持する挟持片１３と、を備えている。さらに、第１及び第２支持体５、６のそれぞれは、スピーカ装置３のアクチュエータ部２３の振動を天井材２に伝達する伝達機能を備えている（図２参照）。
【００２４】
上記支持板１１には、複数の金属製のナット１５がインサート成形、熱圧入等により埋め込まれている。そして、スピーカ装置３の振動板３ａ及びアクチュエータ部２３の貫通穴１７を介してネジ１６をナット１５にねじ込むことで、ブラケット１にスピーカ装置３が取り付けられる（図２及び図３参照）。さらに、挟持片１３には、支持板１１と挟持片１３との対向間隔が一方向Ｐで挿入部１２側に向かうにつれて狭くなるようにテーパ状部１８が設けられている。このテーパ状部１８は、挟持片１３の長手方向にわたって形成されるとともに、平坦状の傾斜面を有している。さらに、挿入部１２は、天井材２の開口２ａの内周面に微小な隙間を介して対向している。
【００２５】
ここで、上記第１及び第２支持体５、６は、第１及び第２可撓部７、８を撓ませることで一方向Ｐに互いに近接されて開口２ａに挿入可能とされている（図７（ａ）（ｂ）参照）。具体的に、各可撓部７、８の撓み時に第１及び第２支持体５、６の各挟持片１３が開口２ａに挿入可能で且つ各支持板１１が開口２ａに挿入不能とされている。そして、各挟持片１３が開口２ａに挿入されて天井材２の裏面側（即ち、天井材２の車両室外側Ｒ２）に突出したときに各支持板１１が天井材２の表面に当接する。
【００２６】
さらに、上記第１及び第２支持体５、６は、開口２ａに挿入された状態で各可撓部７、８の撓みを解除することで一方向Ｐに互いに離間されて天井材２の開口２ａの外周縁を厚さ方向に挟持するように構成されている（図７（ｃ）参照）。具体的に、支持板１１と挟持片１３との間で天井材２の開口２ａの外周縁を挟持する。この挟持状態においては、各可撓部７、８の撓みが完全に解除されておらず、各可撓部７、８の弾性復元力により各支持体５、６が一方向Ｐで互いに離間する方向に付勢されている。よって、挟持片１３のテーパ状部１８の楔作用とともに、支持板１１と挟持片１３との間に天井材２の開口２ａの外周縁が強固に噛み込まれて挟持されることとなる。
【００２７】
上記スピーカ装置３（「ハイブリッドスピーカ」とも称される。）は、図２及び図３に示すように、所定の配列方向Ｑ（即ち、天井材２へのスピーカ装置３の取付状態で車両幅方向Ｑ）に沿って複数配設される磁石２１及びコイル２２を備えている。また、スピーカ装置３は、アクチュエータ部２３と、アクチュエータ部２３の裏面側に取り付けられる振動板３ａと、アクチュエータ部２３に対して弾性的に支持されるヨーク２４と、を備えている。このヨーク２４内に複数の磁石２１が収容されるとともに、振動板３ａ上に複数のコイル２２が設けられている。また、振動板３ａは、矩形平板状に形成されるとともに、アクチュエータ部２３の裏面に両面テープや接着剤等で接合されている。また、ヨーク２４は、強磁性体からなり、アクチュエータ部２３の端部に支持された弾性部材２５（例えば、板バネ等）に取り付けられている。さらに、磁石２１は、Ｓ極が下方を向く磁石とＮ極が下方を向く磁石とが交互に隣り合うように配列されている。また、コイル２２は、各磁石２１による磁気回路と錯交するように配されている。これら各コイル２２は、アクチュエータ部２３に形成された開口２３ａを介して複数の磁石２１のうちの下方にＳ極が向く磁石と対向している。
【００２８】
次に、上記構成のブラケット１を用いるスピーカ装置３の取付方法について説明する。なお、本実施例では、自動車ディーラー等で、車両に組み付けられたスピーカ取付仕様でない天井材２をスピーカ取付仕様に変更する形態について説明する。また、上記車両に組み付けられた天井材２は、ピラーガーニッシュ３３、アシストグリップ３４等（図１参照）を取り外すことで、天井パネルに対して所定間隔（例えば、１０〜２０ｍｍ）降下された仮組付保持状態とされる。この仮組付状態において、天井材２の外周縁の隙間空間を利用することで、天井材２の車両室外側Ｒ２で、ブラケット１の取付作業（例えば、可撓部７、８の撓み）を行ったり、配線の取り回しを行ったりできる。
【００２９】
先ず、車両に組み付けられた天井材２の所定位置にカッター等の切断手段で開口２ａを車両室内側Ｒ１から形成する（図６参照）。ブラケット１の各可撓部７、８を撓ませることで各支持体５、６を互いに近接させるとともに、各挟持片１３を開口２ａに対向させる（図７（ａ）参照）。その状態より、各挟持片１３を天井材２の車両室内側Ｒ１から開口２ａに挿入すると、各挟持片１３が天井材２の車両室外側Ｒ２に突出したときに各支持板５、６が天井材２の表面に当接する（図７（ｂ）参照）。その状態より、各可撓部７、８の撓みを解除して各支持体５、６を互いに離間させると、支持板１１と挟持片１３との間で天井材２の開口２ａの外周縁が挟持されて、天井材２にブラケット１が取り付けられる（図７（ｃ）参照）。その後、天井材２の車両室内側Ｒ１でスピーカ装置３のアクチュエータ部２３をブラケット１にネジ１６で支持する。その結果、開口２ａを覆うように天井材２に対してスピーカ装置３が取り付けられて、スピーカ装置の取付構造３１が得られる。
【００３０】
上述のように得られたスピーカ装置の取付構造３１では、図２に示すように、ブラケット１は、第１支持体５及び第２支持体６が天井材２の開口２ａの外周縁を厚さ方向に挟持することで天井材２に取り付けられている。さらに、スピーカ装置３は、開口２ａを覆うように第１支持体５及び第２支持体６に支持されている。この支持状態においては、第１及び第２支持体５、６の各支持板１１は、スピーカ装置３のアクチュエータ部２３と天井材２との間に配置されている。なお、天井材２の車両室内側Ｒ１の表面には、開口２ａを覆うようにスピーカグリル３２が設けられている。
【００３１】
（２）スピーカ装置の取付構造の作用
次に、上記構成のスピーカ装置の取付構造３１の作用について説明する。図２に示すように、コイル２２に音声信号（電気信号）が入力されると、コイル２２に変動磁界が生じ、この変動磁界が磁石２１の磁界と相互作用してスピーカ装置３の振動板３ａが振動する。振動板３ａで発生した音の一部（特に中高音）は、車両室内側Ｒ１に直接的に出力される。また、振動板３ａに対して磁石２１が弾性的に支持されているため、振動板３ａの振動と同時に磁石２１も振動する。磁石２１の振動（特に、低周波の振動）は、アクチュエータ部２３を介してブラケット１で増幅されつつ天井材２に効果的に伝達され、天井材２の振動により車両室内側Ｒ１に出力される（特に低音）。
【００３２】
（３）実施例の効果
本実施例のブラケット１によると、スピーカ装置３を支持可能なように一方向Ｐに間合を空けて並設される第１支持体５及び第２支持体６と、第１支持体５と第２支持体６とを連結する可撓部７、８と、を備える。そして、第１支持体５及び第２支持体６は、可撓部７、８を撓ませることで一方向Ｐに互いに近接されて開口２ａに挿入可能とされているとともに、開口２ａに挿入された状態で可撓部７、８の撓みを解除することで一方向Ｐに互いに離間されて天井材２の開口２ａの外周縁を厚さ方向に挟持するように構成されている。これにより、ブラケット１は、第１及び第２支持体５、６が天井材２の開口２ａの外周縁を厚さ方向に挟持することで天井材２に取り付けられるとともに、スピーカ装置３は、開口２ａを覆うように第１及び第２支持体５、６に支持される。よって、天井材２に対してブラケット１を接着剤での接着を必須とせずに取り付けることができ、接着剤で接着する場合であっても従来のようなおもしによる圧着工程を必要としない。その結果、既に車体に組み付けられた天井材２に対してスピーカ装置３を容易に取り付けることができる。
【００３３】
また、本実施例では、第１支持体５及び第２支持体６のそれぞれは、支持板１１と、挿入部１２と、支持板１１と対向するように挿入部１２に設けられて支持板１１との間で天井材２の開口２ａの外周縁を厚さ方向に挟持する挟持片１３と、を備える。これにより、支持板１１と挟持片１３との間で天井材２の開口２ａの外周縁を強固に挟持できる。
【００３４】
また、本実施例では、挟持片１３には、支持板１１と挟持片１３との対向間隔が一方向Ｐで挿入部１２側に向かうにつれて狭くなるようにテーパ状部１８が設けられている。これにより、支持板１１と挟持片１３との間で天井材２の開口２ａの外周縁を更に強固に挟持できる。
【００３５】
また、本実施例では、可撓部７、８の撓み時に第１及び第２支持体５、６の各挟持片１３が開口２ａに挿入可能で且つ各支持板１１が開口２ａに挿入不能とされている。これにより、各挟持片１３が開口２ａに挿入されて天井材２の一方の表面側Ｒ２に突出したときに各支持板１１が天井材２の他方の表面に当接する。この状態より、可撓部７、８の撓みを解除することで、支持板１１と挟持片１３との間で天井材２の開口２ａの外周縁を確実に挟持できる。
【００３６】
また、本実施例では、第１及び第２支持体５、６のそれぞれは、長尺形状に形成されており、第１及び第２支持体５、６の長尺方向の各一端側を連結する第１可撓部７と、第１及び第２支持体５、６の長尺方向の各他端側を連結する第２可撓部８と、を備える。これにより、枠状のブラケット１として剛性を高めることができる。さらに、可撓部７、８の撓みを解除したときの弾性復元力により、第１及び第２支持体５、６で天井材２の開口２ａの外周縁を更に強固に挟持できる。
【００３７】
また、本実施例では、各支持体５、６及び各可撓部７、８は、樹脂製であるとともに一体に形成されている。これにより、可撓部７、８を効果的に撓ませることができるとともに、ブラケット１を簡易且つ安価に構成できる。
【００３８】
さらに、本実施例では、スピーカ装置３は、第１及び第２支持体５、６に支持されるアクチュエータ部２３を備え、第１及び第２支持体５、６のそれぞれは、アクチュエータ部２３の振動を天井材２に伝達する伝達機能を備える。これにより、第１及び第２支持体５、６が天井材２の開口２ａの外周縁を挟持することで、ブラケット１によりスピーカ装置３のアクチュエータ部２３の振動が天井材２に効果的に伝わり、天井材２から良質な音が出力される。
【００３９】
本実施例のスピーカ装置の取付構造３１によると、上述のブラケット１を備え、ブラケット１は、第１及び第２支持体５、６が天井材２の開口２ａの外周縁を厚さ方向に挟持することで天井材２に取り付けられており、スピーカ装置３は、開口２ａを覆うように第１及び第２支持体５、６に支持されている。これにより、天井材２に対してブラケット１を接着剤での接着を必須とせずに取り付けることができ、接着剤で接着する場合であっても従来のようなおもしによる圧着工程を必要としない。その結果、既に車体に組み付けられた天井材２に対してスピーカ装置３を容易に取り付けることができる。
【００４０】
尚、本発明においては、上記実施例に限られず、目的、用途に応じて本発明の範囲内で種々変更した実施例とすることができる。すなわち、上記実施例では、支持板１１及び挟持片１３のうちの挟持片１３にテーパ状部１８を設ける形態を例示したが、これに限定されず、例えば、支持板１１及び挟持片１３のうちの支持板１１にテーパ状部１８を設ける形態（図８（ａ）参照）としたり、支持板１１及び挟持片１３の両方にテーパ状部１８を設ける形態（図８（ｂ）参照）としたりしてもよい。
【００４１】
また、上記実施例では、挟持片１３の長尺方向にわたってテーパ状部１８を設けるようにしたが、これに限定されず、例えば、図９に示すように、挟持片１３の長尺方向に複数のテーパ状部１８’を所定間隔で設けるようにしてもよい。さらに、上記実施例では、平坦状の傾斜面を有するテーパ状部１８を例示したが、これに限定されず、例えば、階段状の傾斜面を有するテーパ状部を採用してもよい。
【００４２】
また、上記実施例では、天井材２の開口２ａの内周面に対向して挿入される挿入部１２を例示したが、これに限定されず、例えば、天井材２の開口２ａの内周面に接触して挿入される挿入部としてもよい。
【００４３】
また、上記実施例では、挿入部１２の長手方向にわたって延設される挟持片１３を例示したが、これに限定されず、例えば、挿入部１２の長手方向に複数の挟持片を所定間隔で設けるようにしてもよい。
【００４４】
また、上記実施例では、スピーカ装置３がブラケット１の車両室内側Ｒ１に配置されるようにスピーカ装置３を支持するブラケット１を例示したが、これに限定されず、例えば、図１０（ａ）に示すように、スピーカ装置３の一部（ヨーク２４等）が開口９内に配置されるようにスピーカ装置３を支持するブラケット１’を採用してもよい。
【００４５】
また、上記実施例では、天井材２の車両室内側Ｒ１から開口２ａに挿入されて取り付けられるブラケット１を例示したが、これに限定されず、例えば、図１０（ｂ）に示すように、天井材２の車両室外側Ｒ２から開口２ａに挿入されて取り付けられるブラケット１"を採用してもよい。
【００４６】
また、本実施例では、第１及び第２支持体５、６による挟持のみで天井材２にブラケット１を取り付けるようにしたが、これに限定されず、例えば、第１及び第２支持体５、６による挟持に加えて、第１及び第２支持体５、６（特に、支持板１１）と天井材２との間に接着剤を介装させるようにしてもよい。
【００４７】
また、上記実施例では、矩形状の開口２ａに対応して直線状に延びる長尺形状の第１及び第２支持体５、６を例示したが、これに限定されず、例えば、丸形状や楕円形状の開口に対応して湾曲状に延びる長尺形状の第１及び第２支持体としてもよい。
【００４８】
また、上記実施例では、略Ｖ字板状の可撓部７、８を例示したが、これに限定されず、例えば、略Ｕ字板状や略Ｗ字板状等の可撓部を採用してもよい。さらに、上記実施例では、２つの可撓部７、８を備えるようにしたが、これに限定されず、例えば、１つ又は３以上の可撓部を備えるようにしてもよい。また、上記実施例において、可撓部７、８の撓み性を高めるために可撓部７、８の屈曲部に薄肉部や溝等を設けてもよい。
【００４９】
また、上記実施例では、第１及び第２支持体５、６が天井材２の開口２ａの外周縁を挟持したときに、可撓部７、８の撓みが完全に解除されない形態を例示したが、これに限定されず、例えば、第１及び第２支持体５、６が天井材２の開口２ａの外周縁を挟持したときに、可撓部７、８の撓みが略完全に解除されるようにしてもよい。
【００５０】
また、上記実施例では、樹脂により一体形成される支持体５、６及び可撓部７、８を例示したが、これに限定されず、例えば、支持体と可撓部とを成形後に組み付けるようにしてもよい。
【００５１】
また、上記実施例では、ネジ１６による螺合でブラケット１にスピーカ装置３を取り付けるようにしたが、これに限定されず、例えば、螺合に替えて又は加えて、両面テープ、接着剤等による接合でブラケット１にスピーカ装置３を取り付けるようにしてもよい。
【００５２】
また、上記実施例では、面磁石２１を利用して振動板３ａを振動させるハイブリッドスピーカ３を採用したが、これに限定されず、例えば、固定電極板の間に振動板３ａを積層し、電極板への電圧を変化させることで振動板３ａを振動させる静電式の平面スピーカを採用してもよい。さらに、天井材２に対して振動を伝達する振動板３ａを備える限り各種スピーカを採用してもよい。
【００５３】
また、上記実施例では、既に車体に組み付けられた天井材２に対してブラケット１を用いてスピーカ装置３を取り付ける形態を例示したが、これに限定されず、例えば、車体に組み付けられる前の天井材２に対してブラケット１を用いてスピーカ装置３を取り付けるようにしてもよい。この場合であっても、従来のようなおもしによる圧着工程を必要としないので、スピーカ装置３を容易に取り付けることができる。
【００５４】
さらに、上記実施例では、内装材として天井材２を例示したが、これに限定されず、例えば、内装材として、ダッシュボード、ドアトリム、ピラーガーニッシュ、シート等を採用してもよい。さらに、上記実施例では、機能装置として、スピーカ装置３を例示したが、これに限定されず、照明装置、電飾装置、収容装置等を採用してもよい。
【００５５】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００５６】
本発明は上記で詳述した実施形態に限定されず、本発明の請求項に示した範囲で様々な変形または変更が可能である。
【産業上の利用可能性】
【００５７】
本発明は、乗用車、バス、トラック等の他、列車、汽車等の鉄道車両、建設車両、農業車両、産業車両などの車両の内装材に対して機能装置を取り付けるための技術として広く利用される。
【符号の説明】
【００５８】
１，１’、１"；ブラケット、２；天井材、２ａ；開口、３；スピーカ装置、５；第１支持体、６；第２支持体、７；第１可撓部、８；第２可撓部、１１；支持板、１２；挿入部、１３；挟持片、１８，１８’；テーパ状部、２３；アクチュエータ部、３１；スピーカ装置の取付構造、Ｐ；一方向。
【図１】
0006641939.tif 000002
【図２】
0006641939.tif 000003
【図３】
0006641939.tif 000004
【図４】
0006641939.tif 000005
【図５】
0006641939.tif 000006
【図６】
0006641939.tif 000007
【図７】
0006641939.tif 000008
【図８】
0006641939.tif 000009
【図９】
0006641939.tif 000010
【図１０】
0006641939.tif 000011
【図１１】
0006641939.tif 000012
【図１２】
0006641939.tif 000013